【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
異なる演算素子からの複数のパルス信号を入力し、当該複数のパルス信号のうち所定の複数のパルス信号に対して共通する変調を与える変調回路と、
該変調回路により変調された前記所定の複数のパルス信号をそれぞれ異なる信号線に分岐出力する分岐回路とを有することを特徴とするパルス信号処理回路。
【請求項２】
前記変調回路は、パルス信号に所定の遅延を与える遅延回路であることを特徴とする請求項１に記載のパルス信号処理回路。
【請求項３】
前記変調回路は、同一入力データの処理について時間的に異なる変調特性を与えることを特徴とする請求項１に記載のパルス信号処理回路。
【請求項４】
複数ニューロン素子と該ニューロン素子間を結合するシナプス結合素子とを備え、当該シナプス結合素子を請求項１に記載のパルス信号処理回路を用いて構成したことを特徴とする並列処理回路。
【請求項５】
前記シナプス結合素子が、所定のニューロン素子へのシナプス結合の分布対称性に基づき、複数のシナプス結合を一つの回路として共有した構造を有することを特徴とする請求項４に記載の並列処理回路。
【請求項６】
所定次元のデータ入力手段と、複数の特徴を検出する特徴検出層を有する複数のデータ処理モジュールと、パターン認識結果の出力手段とを備え、
前記データ処理モジュールは、所定のシナプス結合手段により互いに結合する複数の演算素子を有し、
前記演算素子の各々は、所定時間窓内での複数パルスの到着時間パターンに応じた周波数又はタイミングでパルス状の信号を出力し、
前記出力手段は、複数の前記演算素子の出力に基づき、所定のパターンの検出結果又は認識結果を出力し、
前記シナプス結合手段は、異なる演算素子からの複数のパルス信号を入力し、当該複数のパルス信号のうち所定の複数のパルス信号に共通する所定の変調を与える変調回路と、該変調回路により変調された前記所定の複数のパルス信号をそれぞれ異なる信号線に分岐出力する分岐回路とを有することを特徴とするパターン認識装置。
【請求項７】
前記変調回路は、パルス信号に所定の遅延を与える遅延回路であることを特徴とする請求項６に記載のパターン認識装置。
【請求項８】
前記変調回路は、同一入力データの処理について時間的に異なる変調特性を与えることを特徴とする請求項６に記載のパターン認識装置。
【請求項９】
前記変調回路は、パルス信号に所定のパルス幅変調を与えるパルス幅変調回路であることを特徴とする請求項６に記載のパターン認識装置。
【請求項１０】
異なる演算素子からの複数のパルス信号を入力し、当該複数のパルス信号の各々に所定の変調を与える変調回路と、
該変調回路により変調した前記複数のパルス信号を所定の順序でそれぞれ異なる信号線に所定の遅延を与えて分岐出力する分岐回路とを有することを特徴とするパルス信号処理回路。
【請求項１１】
前記変調回路は、同一入力データの処理について時間的に異なる変調特性を与えることを特徴とする請求項１０に記載のパターン認識装置。
【請求項１２】
所定次元の入力データの所定サンプリング位置についての所定領域ごとの異なる特徴パターンカテゴリを抽出する演算素子が複数並列に配置されてなり、
前記演算素子の各々はシナプス結合手段を介して他の所定の演算素子と結合され、
入力データ上の所定位置に関する異なる特徴パターンカテゴリを抽出する複数の前記演算素子が互いに隣接して配置されてなることを特徴とする並列処理回路。
【請求項１３】
前記シナプス結合素子は、異なる演算素子からの複数のパルス信号を入力し、該パルス信号の各々に所定の変調を与える変調回路と、該変調回路により変調された当該パルス信号の各々を異なる信号線に分岐出力する分岐回路とを有することを特徴とする請求項１２に記載の並列処理回路。
【請求項１４】
異なる演算素子からの複数パルス信号を入力し、当該複数のパルス信号のうち所定の複数のパルス信号に対して所定の変調を並列的に与える並列変調回路と、当該並列変調回路の出力を統合する統合手段とを有し、
前記並列変調回路は、変調された前記所定の複数のパルス信号に対して所定の重み付き時間窓積分を施す複数の時間窓積分回路を備え、
前記演算素子は前記統合手段からの信号に基づいて所定のパルス信号を出力することを特徴とするパルス信号処理回路。
【請求項１５】
前記並列変調回路は、前記パルス信号に所定のパルス幅変調を与えるパルス幅変調回路であることを特徴とする請求項１４に記載のパルス信号処理回路。
【請求項１６】
前記演算素子の出力は、所定のメモリに格納された後に他の演算素子に分岐出力することを特徴とする請求項１４に記載のパルス信号処理回路。
【請求項１７】
前記時間窓積分回路は、前記並列変調回路に並列入力されるパルス信号ごとに設定され、前記演算素子の受容野を構成する所定の重み係数を当該パルス信号に乗じることを特徴とする請求項１４に記載のパルス信号処理回路。
【請求項１８】
重み係数信号発生回路を更に備え、前記時間窓積分回路において、当該重み係数信号発生回路からの重み係数信号と入力パルス信号との乗算を行うことを特徴とする請求項１４に記載のパルス信号処理回路。
【請求項１９】
タイミング信号発生回路と、パルス信号を出力する複数の演算素子と、当該演算素子間を結合する結合手段とを備えるパルス信号処理回路であって、
前記結合手段は、所定の前記演算素子からのパルス信号を入力して所定の重み付き時間窓積分を施し、
前記演算素子は、前記結合手段により並列配置され、前記タイミング信号発生回路からのタイミング信号に基づき、前記結合手段からのパルス変調信号を統合することを特徴とするパルス信号処理回路。
【請求項２０】
請求項１４乃至請求項１９に記載のパルス信号処理回路を用いて、所定の画像入力を行うことを特徴とする画像入力装置。
【手続補正２】
【補正対象書類名】明細書
【補正対象項目名】００１１
【補正方法】変更
【補正の内容】
【００１１】
【課題を解決するための手段】
上述した目的を達成するための一手段として、本発明によれば、パルス信号処理回路に、異なる演算素子からの複数のパルス信号を入力し、当該複数のパルス信号のうち所定の複数のパルス信号に対して共通する変調を与える変調回路と、該変調回路により変調された前記所定の複数のパルス信号をそれぞれ異なる信号線に分岐出力する分岐回路とを有する。
【手続補正３】
【補正対象書類名】明細書
【補正対象項目名】００１２
【補正方法】変更
【補正の内容】
【００１２】
また、本発明の他の態様によれば、所定次元のデータ入力手段と、複数の特徴を検出する特徴検出層を有する複数のデータ処理モジュールと、パターン認識結果の出力手段とを備え、前記データ処理モジュールは、所定のシナプス結合手段により互いに結合する複数の演算素子を有し、前記演算素子の各々は、所定時間窓内での複数パルスの到着時間パターンに応じた周波数又はタイミングでパルス状の信号を出力し、前記出力手段は、複数の前記演算素子の出力に基づき、所定のパターンの検出結果又は認識結果を出力し、前記シナプス結合手段は、異なる演算素子からの複数のパルス信号を入力し、当該複数のパルス信号のうち所定の複数のパルス信号に共通する所定の変調を与える変調回路と、該変調回路により変調された前記所定の複数のパルス信号をそれぞれ異なる信号線に分岐出力する分岐回路とを有する。
【手続補正４】
【補正対象書類名】明細書
【補正対象項目名】００１３
【補正方法】変更
【補正の内容】
【００１３】
更に、本発明の他の態様によれば、パルス信号処理回路に、異なる演算素子からの複数のパルス信号を入力し、当該複数のパルス信号の各々に所定の変調を与える変調回路と、該変調回路により変調した前記複数のパルス信号を所定の順序でそれぞれ異なる信号線に所定の遅延を与えて分岐出力する分岐回路とを備える。
【手続補正５】
【補正対象書類名】明細書
【補正対象項目名】００１５
【補正方法】変更
【補正の内容】
【００１５】
本発明の他の態様によれば、パルス信号処理回路に、異なる演算素子からの複数パルス信号を入力し、当該複数のパルス信号のうち所定の複数のパルス信号に対して所定の変調を並列的に与える並列変調回路と、当該並列変調回路の出力を統合する統合手段とを有し、前記並列変調回路は、変調された前記所定の複数のパルス信号に対して所定の重み付き時間窓積分を施す複数の時間窓積分回路を備え、前記演算素子は前記統合手段からの信号に基づいて所定のパルス信号を出力する。